(57)【特許請求の範囲】
【請求項１】
椅子に備えられる椅子用荷重支持部材であって、
前記椅子の幅方向に離間して略平行に配置された一対の杆材を備える強度部材としての枠部材と、
前記椅子の荷重受面側に配置される表側張材と前記荷重受面の反対側に配置される裏側張材とが、前記杆材の長さ方向における一端縁および前記幅方向の両方の側端縁において接合されるとともに、前記長さ方向における他端縁側に、前記幅方向に連続する開口部を有した袋状に形成されて、前記開口部を通して前記枠部材に該枠部材の前記長さ方向における一端側から被せられることで前記杆材に直接巻き付いた状態で前記枠部材に支持された外装材と、を備え、
前記一対の杆材には、互いに対向する内側面にそれぞれ支持部が設けられ、
前記一対の杆材間には、面直方向の荷重に対して反発力を有する内装材が前記支持部に支持されることによって架設されていることを特徴とする椅子用荷重支持部材。
【請求項２】
前記支持部は、前記荷重受面側へ開口する嵌合凹部を有していることを特徴とする請求項１記載の椅子用荷重支持部材。
【請求項３】
前記支持部は、前記杆材と該杆材の内側面側に隙間をあけて配設された支持材とからなるとともに、前記杆材と前記支持材との間の前記隙間が前記嵌合凹部とされ、
前記支持材の前記荷重受面側の端部は、前記杆材における前記嵌合凹部を形成する部位の前記荷重受面側の端部よりも、前記荷重受面側と反対の側寄りに位置していることを特徴とする請求項２記載の椅子用荷重支持部材。
【請求項４】
前記外装材の前記面直方向の荷重に対しての反発力は、前記内装材の前記面直方向の荷重に対しての反発力よりも相対的に小であることを特徴とする請求項１〜３のいずれか一項に記載の椅子用荷重支持部材。
【請求項５】
前記表側張材と前記内装材との間にスペーサ面材が配設されており、
前記スペーサ面材の前記面直方向の荷重に対しての反発力は、前記内装材の前記面直方向の荷重に対しての反発力よりも相対的に小であることを特徴とする請求項１〜４のいずれか一項に記載の椅子用荷重支持部材。
【請求項６】
前記スペーサ面材は、前記内装材の表面側から前記杆材の表面側までを連続して覆っていることを特徴とする請求項５記載の椅子用荷重支持部材。
【請求項７】
前記スペーサ面材は、前記表側張材の裏面に一体的に取り付けられていることを特徴とする請求項５又は６に記載の椅子用荷重支持部材。
【請求項８】
請求項１〜７のいずれか一項に記載の椅子用荷重支持部材を、前記杆材が上下方向に沿って配置されるとともに、前記開口部が下端部に配置される背凭れとして備えることを特徴とする椅子。
【発明の詳細な説明】
【技術分野】
【０００１】
本発明は、椅子用荷重支持部材および椅子に関する。
【背景技術】
【０００２】
従来、強度部材としての枠部材に、面直方向からの荷重に対して弾性抵抗力（反発力）を有する張材が支持されてなる椅子用荷重支持部材、およびこれを備える椅子として、例えば特許文献１に開示されるものがある。この特許文献１に開示された椅子では、張材の組織を構成する経糸群によって上下方向の高張力を確保するとともに、モール糸および弾性糸からなる緯糸群によって左右方向の伸縮力を確保している。
【０００３】
このような構成のもとに、前記の椅子では適度な弾性抵抗力と伸縮が両立した、良好な着座感が得られる。しかし、その反面、最低限の強度を維持するために経糸群が必須となり、これに伸縮力を加える観点から左右方向に延びる緯糸を付加するという構成上、張設されることによって経糸と緯糸との間にドット形状の隙間が多数形成されるというデザインになり易く、外観を構成する部材でありながら、デザイン面での自由度に欠ける傾向がある。
【０００４】
このような課題を解決するため、特許文献２に開示されたような構成を採ることが考えられる。特許文献２に開示された椅子では、杆材に向きの異なる２つの溝が形成されており、各々の溝に異なる張材を止着することにより、枠部材に複数の張材を張設している。このような構成により、例えば裏面側の張材として張力の強いものを採用し、表面側の張材には張力の弱いものを採用するなどの変則的なデザインが可能になり、デザイン面での自由度が高まる。
【先行技術文献】
【特許文献】
【０００５】
【特許文献１】特許第４０６１１６７号公報
【特許文献２】特開２０１３−１９８５６５号公報
【発明の概要】
【発明が解決しようとする課題】
【０００６】
しかしながら、特許文献２に開示された構成では、枠部材上で異なる向きに複数の溝を形成していることから、枠部材の形状、およびそれを成形する金型の形状が複雑化するという課題がある。
【０００７】
本発明は前記課題に鑑みてなされたもので、枠部材の形状を複雑化することなく複数の張材を支持可能とすることにより、張材のデザイン面での自由度を高くした椅子用荷重支持部材と、これを備える椅子を提供することを目的とする。
【課題を解決するための手段】
【０００８】
本発明の椅子用荷重支持部材は、椅子に備えられる椅子用荷重支持部材であって、前記椅子の幅方向に離間して略平行に配置された一対の杆材を備える強度部材としての枠部材と、前記椅子の荷重受面側に配置される表側張材と前記荷重受面の反対側に配置される裏側張材とが、前記杆材の長さ方向における一端縁および前記幅方向の両方の側端縁において接合されるとともに、前記長さ方向における他端縁側に、前記幅方向に連続する開口部を有した袋状に形成されて、前記開口部を通して前記枠部材に該枠部材の前記長さ方向における一端側から被せられることで前記杆材に直接巻き付いた状態で前記枠部材に支持された外装材と、を備え、前記一対の杆材には、互いに対向する内側面にそれぞれ支持部が設けられ、前記一対の杆材間には、面直方向の荷重に対して反発力を有する内装材が前記支持部に支持されることによって架設されていることを特徴とする。
【０００９】
この椅子用荷重支持部材によれば、枠部材に被せられた、表側張材と裏側張材とが接合されて袋状に形成された外装材とは別に、一対の杆材間に面直方向の荷重に対して反発力を有する内装材を架設しているので、例えば内装材の強度を、着座者の荷重を支持しうる大きさに設定することにより、外装材の素材等を適宜選択することが可能になり、したがってデザイン面での自由度が大幅に向上する。また、外装材はそれ自体の形状および張力で杆材に巻きつくようにして枠部材に支持されるので、専用の支持部を必要とせず、したがって杆材の形状を複雑化することなく安価に枠部材を成形することが可能となる。加えて、杆材の内側面に形成された支持部が外装材で隠されることにより、支持部によって外観体裁が損なわれることが防止される。
【００１０】
また、前記椅子用荷重支持部材において、前記支持部は、前記荷重受面側へ開口する嵌合凹部を有していることが好ましい。
この構成によれば、支持部が、各杆材の内側面に形成された、椅子の荷重受面側へ開口する嵌合凹部であるので、このような嵌合凹部を有する杆材の形状を作る際に、２つの金型を荷重受面の面直方向に並べて成型することによって容易に成形することができ、したがって枠部材をより安価に成形することが可能になる。
【００１１】
また、前記椅子用荷重支持部材において、前記支持部は、前記杆材と該杆材の内側面側に隙間をあけて配設された支持材とからなるとともに、前記杆材と前記支持材との間の前記隙間が前記嵌合凹部とされ、前記支持材の前記荷重受面側の端部は、前記杆材における前記嵌合凹部を形成する部位の前記荷重受面側の端部よりも、前記荷重受面側と反対の側寄りに位置していることが好ましい。
この構成によれば、支持材の荷重受面側の端部が、杆材における嵌合凹部を形成する部位の荷重受面側の端部よりも、荷重受面側と反対の側寄りに位置しているので、内装材の位置が杆材の荷重受面側の端部よりも椅子の背面側にオフセットされる。したがって、内装材が外装材の表側張材に裏から当接するようになり、外装材の変形が防止されるため、より外観体裁に優れるものとなる。
【００１２】
また、前記椅子用荷重支持部材において、前記外装材の前記面直方向の荷重に対しての反発力は、前記内装材の前記面直方向の荷重に対しての反発力よりも相対的に小であることが好ましい。
この構成によれば、袋状の外装材が内装材よりも反発力が小であることから、外装材は内装材よりも相対的に柔らかく（弾性抵抗力を小さく）なり、したがって着座者の体重等により外装材に荷重がかかっても、外装材と杆材との間で摩擦抵抗が生じにくくなる。また、外装材は柔らかいため杆材に密着することなく接するようになり、したがって面直方向からの荷重に対しても杆材に対して回転しないため、摩擦音の発生が防止、あるいは抑制される。また、相対的に硬い内装材によって着座者の身体を支持する力が確保されるものの、この内装材は杆材の対向面間に架設されているので、袋状の外装材と干渉することがない。
【００１３】
また、前記椅子用荷重支持部材においては、前記表側張材と前記内装材との間にスペーサ面材が配設されており、前記スペーサ面材の前記面直方向の荷重に対しての反発力は、前記内装材の前記面直方向の荷重に対しての反発力よりも相対的に小であることが好ましい。
この構成によれば、内装材よりも反発力が小であるスペーサ面材が表側張材と内装材との間に配設されているので、着座者が表側張材を介してその体重を椅子用荷重支持部材に加えた際、椅子用荷重支持部材は外装材の撓みにスペーサ面材の撓みを加えた状態で内装材によって着座者の体重を支えるので、スペーサ面材の撓みが加わった分着座時の柔らかさが増し、着座感がより良好になる。また、スペーサ面材が介在することで外装材の上縁部が内装材の上縁部に直接的に当たりにくくなり、したがって長い間連続的に使用しても外装材の上縁部が伸びてしまうことが抑制される。
【００１４】
また、前記椅子用荷重支持部材において、前記スペーサ面材は、前記内装材の表面側から前記杆材の表面側までを連続して覆っていることが好ましい。
この構成によれば、スペーサ面材が内装材の表面側から杆材の表面側までを連続して覆っているので、スペーサ面材が内装材と杆材との間を埋めるようになるためこれらの間の段差の影響がほとんどなくなる。したがって、この段差により着座者の背中に違和感が生じるおそれがなくなる。
【００１５】
また、前記椅子用荷重支持部材において、前記スペーサ面材は、前記表側張材の裏面に一体的に取り付けられていることが好ましい。
この構成によれば、スペーサ面材が表側張材の裏面に一体的に取り付けられているので、予めスペーサ面材を表側張材に一体的に取り付けておくことにより、枠部材に外装材を被せて椅子用荷重支持部材を組み立てる工程を支障なく容易に行うことができる。
【００１６】
本発明の椅子は、前記椅子用荷重支持部材を、前記杆材が上下方向に沿って配置されるとともに、前記開口部が下端部に配置される背凭れとして備えることを特徴とする。
この椅子によれば、デザイン面での自由度が大幅に向上するとともに、杆材の形状を複雑化することなく安価に枠部材を成形することが可能となる。
【発明の効果】
【００１７】
本発明の椅子用荷重支持部材によれば、枠部材の形状を複雑化することなく該枠部材で外装材と内装材とを支持することができ、したがってデザイン面での自由度を高くすることができる。
本発明の椅子によれば、デザイン面での自由度が大幅に向上するとともに、杆材の形状を複雑化することなく安価に枠部材を成形することができる。
【図面の簡単な説明】
【００１８】
【図１】本発明に係る椅子の一実施形態の正面側から見た斜視図である。
【図２】本発明に係る椅子の一実施形態の背面側から見た斜視図である。
【図３】本発明に係る椅子用荷重支持部材の一実施形態となる背凭れの分解斜視図である。
【図４】枠部材の概略構成を示す図であって、（ａ）は正面図、（ｂ）は側面図である。
【図５】図４（ａ）のＡ−Ａ線矢視断面図である。
【図６】図４（ａ）のＢ−Ｂ線矢視要部断面図である。
【図７】張材と張材に設けられる部材の分解斜視図である。
【図８】図４（ａ）のＣ−Ｃ線矢視断面図である。
【図９】図４（ａ）のＤ−Ｄ線矢視断面図である。
【図１０】本発明に係る椅子用荷重支持部材の他の実施形態となる背凭れの要部断面図である。
【発明を実施するための形態】
【００１９】
以下、本発明に係る椅子の実施形態を図面に基づいて詳しく説明する。なお、以下の説明においては、椅子１に正規姿勢で着座した人の正面が向く向きを「前」または「正面」と呼び、それと逆側の向きを「後」または「背面」と呼ぶものとする。また、「上」，「下」と「左」，「右」については、椅子に正規姿勢で着座した人の上方の向きを「上」、それと逆側の向きを「下」と呼び、椅子１に正規姿勢で着座した人の左側の向きを「左」、それと逆側の向きを「右」と呼ぶものとする。すなわち、鉛直方向を上下方向と呼び、水平方向を左右方向と呼ぶ。
【００２０】
図１は本発明に係る椅子の一実施形態の正面側から見た斜視図、図２は同じく背面側から見た斜視図であり、これらの図において符号１は椅子である。この椅子１は、フロア上に載置される脚部２と、脚部２の上端に設置される支基３と、着座者が着座する座体４と、支基３の上面に取り付けられて座体４を支持する座受部材５と、支基３から後部上方側に延出して座体４に着座した着座者の背中を支持する背凭れ６と、を備えて構成されている。
【００２１】
脚部２は、キャスタ７ａ付きの多岐脚７と、多岐脚７の中央部より起立し昇降機構であるガススプリングを内蔵する脚柱８とを備え、脚柱８の上端部に支基３が取り付けられている。支基３には、脚柱８の昇降調整機構と背凭れ６の傾動調整機構とが内蔵されている。
【００２２】
背凭れ６は、本発明に係る椅子用荷重支持部材の一実施形態となるもので、背凭れ６の分解斜視図である図３に示すように、椅子１の幅方向（左右方向）に離間して略平行に配置された一対の杆材９、９を備える枠部材１０と、一対の杆材９、９間に架設された面材１１（内装材）と、一対の杆材９、９に被せられた袋状の張材１２（外装材）と、枠部材１０の幅方向両側にそれぞれ取り付けられた肘掛け１３と、を備えて構成されている。
【００２３】
枠部材１０は、その概略構成図である図４（ａ）、（ｂ）に示すように、前記一対の杆材９、９と、これらの下端部（他端部）に一体に設けられた下枠部１４とを有し、一対の杆材９、９の上端部（一端部）に連結フレーム１５が取り付けられたことで構成される。また、本実施形態では、前記したように枠部材１０の幅方向両側、すなわち一対の杆材９、９と下枠部１４との接続部に、それぞれ肘掛け１３が取り付けられている。ただし、本発明に係る椅子用荷重支持部材（背凭れ６）では、枠部材１０に肘掛け１３が取り付けられない構成となっていてもよい。
【００２４】
面材１１は、図３に示すように略矩形状に形成されたもので、メッシュ材やエラストマー等からなる面材本体１１ａと、面材本体１１ａの幅方向両側にそれぞれ設けられた側部支持フレーム１１ｂ、１１ｂ（嵌合凸部）と、面材本体１１ａの下端に設けられた下部支持フレーム１１ｃとからなっている。側部支持フレーム１１ｂや下部支持フレーム１１ｃは、縫合等によって面材１１の後方（背面方向）に向けて取り付けられている。面材１１は、側部支持フレーム１１ｂ、１１ｂが図４（ａ）に示す杆材９の側部支持部１６（支持部）に取り付けられて支持され、下部支持フレーム１１ｃが下枠部１４の下部支持部１７に取り付けられて支持されることにより、枠部材１０に固定されている。
【００２５】
側部支持部１６は、一対の杆材９、９の、互いに対向する内側面にそれぞれ設けられており、図４（ａ）のＡ−Ａ線矢視断面図である図５に示すように、杆材９と、該杆材９の内側面側に隙間をあけて該杆材９に沿って配設された細板状の支持材１８とによって形成されている。すなわち、杆材９と支持材１８との間に形成された前記隙間が、面材１１の側部支持フレーム１１ｂを取り付けるための嵌合凹部１９となっている。なお、杆材９と支持材１８との間には、図４（ａ）に示すように支持材１８を杆材９に取り付けるための取付板２０が、これら杆材９および支持材１８の後側（背面側）に設けられている。各取付板２０には、それぞれ取付口２０ａが複数（図４（ａ）では６つ）ずつ、上下方向に略等間隔で設けられている。
【００２６】
嵌合凹部１９は、椅子１の前側（正面側）、すなわち着座者の荷重を受ける側（荷重受面側）へ開口しており、図５に示すようにこの嵌合凹部１９内に、面材１１の側部支持フレーム１１ｂが嵌入している。側部支持フレーム１１ｂには、図３に示すようにその後端部に爪部２１が複数（図３では６つ）形成されている。これら爪部２１は、それぞれ前記取付板２０の取付口２０ａに入り込み、図５に示す杆材９の抜け止め凸部２０ｂに係止している。
【００２７】
すなわち、爪部２１は、側部支持フレーム１１ｂの後端から後側に突出し、さらに椅子１の幅方向外側に折れ曲がった後、前側に返されて形成されたもので、折り返された部位（折り返し部２１ａ）が杆材９の背面側の最奥部に形成された抜け止め凸部２０ｂに係止することにより、側部支持フレーム１１ｂが嵌合凹部１９内から抜け出るのが規制されている。つまり、折り返し部２１ａを嵌合凹部１９内に入れると、折り返し部２１ａは抜け止め凸部２０ｂを乗り越える際に、奥行方向と直交する方向に弾性変形する。そして、抜け止め凸部２０ｂを乗り越えた後、折り返し部２１ａは弾性復帰して抜け止め凸部２０ｂに係止する。これにより、折り返し部２１ａを押し入れるだけで、嵌合凹部１９への嵌合を完了することができる。このような側部支持フレーム１１ｂの後端部に形成された爪部２１の折り返し部２１ａと嵌合凹部１９の最奥部に形成された抜け止め凸部２０ｂとにより、本発明に係る抜け止め部、すなわち互いに係止することで側部支持フレーム１１ｂが嵌合凹部１９内から抜け出るのを規制する抜け止め部が形成されている。
【００２８】
なお、複数の爪部２１は、側部支持フレーム１１ｂが嵌合凹部１９内に嵌め入れられた際に、それぞれ対応する取付口２０ａに嵌め込まれ、折り返し部２１ａが抜け止め凸部２０ｂに係止させられている。
【００２９】
ここで、杆材９の側部支持部１６（支持部）には、嵌合凹部１９の開口の外周部における、椅子１の幅方向外側に、前記側部支持フレーム１１ｂを嵌合凹部１９に案内するための移行面２２が形成されている。移行面２２は、本実施形態では杆材９の正面側（椅子１の正面側）の端部から嵌合凹部１９の開口端に至る部位に形成されたもので、杆材９の後側（椅子１の背面側）に行くに従って嵌合凹部１９の開口を狭めるべく、嵌合凹部１９の開口端に近づくように傾斜して形成されている。本実施形態では、移行面２２は嵌合凹部１９を形成する杆材９の内側面側に設けられて、杆材９の正面側（椅子１の正面側）で、かつ杆材９の内側面側に向けて膨出する横断面視円弧形に形成されている。
【００３０】
このような構成のもとに、面材１１の側部支持フレーム１１ｂを嵌合凹部１９内に嵌め入れる際には、例えば側部支持フレーム１１ｂの爪部２１側を嵌合凹部１９の外側の移行面２２に突き当て、その後移行面２２の傾斜に沿って滑らせることにより、この傾斜（移行面２２）に案内させることで側部支持フレーム１１ｂを嵌合凹部１９に容易に嵌め入れることができる。したがって、側部支持フレーム１１ｂを嵌合凹部１９に嵌め入れた後、爪部２１を取付口２０ａ内に入れて折り返し部２１ａを抜け止め凸部２０ｂに係止させることにより、側部支持フレーム１１ｂを側部支持部１６に固定することができる。
【００３１】
また、前記支持材１８は、嵌合凹部１９の開口側（椅子１の正面側）が揺動可能に形成された自由端（遊端）となっている。これによって側部支持フレーム１１ｂは、嵌合凹部１９に容易に嵌め入れることが可能になっている。すなわち、面材１１を持った手と逆の手を使って自由端（支持材１８）を押し広げ、その状態で側部支持フレーム１１ｂを嵌合凹部１９に嵌め入れることができる。
【００３２】
さらに、支持材１８の自由端における先端部（椅子１の正面側の端部）は、杆材９における嵌合凹部１９を形成する部位の正面側（椅子１の正面側）の端面（端部）よりも、椅子１の背面側寄りに位置している。これにより、面材１１の位置が杆材９の正面側（荷重受面側）の端部よりも椅子１の背面側に後退する（オフセットされる）ので、面材１１が後述する張材１２の正面側を裏から当接するようになり、張材１２の変形を防止するようになる。また、前記自由端の先端部と杆材９の正面側の端部との間の段差を埋めるように面材１１を取り付けることにより、面材１１と杆材９とを、これらが相互に支持された状態において段差なく連続させることができる。
【００３３】
また、図３に示すように下部支持フレーム１１ｃにも爪部２３が形成されており、この爪部２３が下枠部１４の下部支持部１７における取付口２４に嵌め入れることにより、下部支持フレーム１１ｃが下部枠１４に固定されている。すなわち、下部支持フレーム１１ｃの爪部２３と下部支持部１７の取付口２４との間にも、必要に応じて前記した爪部２１の折り返し部２１ａおよび抜け止め凸部２０ｂと同様の構成からなるに抜け止め部が形成されており、これによって下部支持フレーム１１ｃは下部枠１４に固定されている。このように、側部支持フレーム１１ｂ、１１ｂと下部支持フレーム１１ｃとが枠部材１０に固定されることにより、面材１１も枠部材１０に固定される。
【００３４】
枠部材１０に固定された面材１１は、本実施形態では面材本体１１ａが着座者の背中によって加えられる荷重（体重）、すなわち面直方向（面と直交する方向）の荷重を受けて反発する弾性体（弾性抵抗体）となっている。面材本体１１ａは、前記したようにメッシュ材やエラストマーからなることで弾性変形可能に形成されて、面直方向の荷重を受けた際に反発力を発現するように構成されている。なお、側部支持フレーム１１ｂや下部支持フレーム１１ｃは、弾性変形可能な樹脂によって形成されている。
【００３５】
また、枠部材１０には、その幅方向両側のそれぞれの下端縁側（他端縁側）、すなわち下枠部１４と交差する部位に、幅方向の外側に開口する凹部２５が形成されている。凹部２５は、図４（ａ）のＢ−Ｂ線矢視要部断面図である図６に示すように、杆材９の内部にまで形成されており、本実施形態では該凹部２５の開口を閉塞して、前記肘掛け１３（閉塞部材）が取り付けられている。すなわち、凹部２５内に埋め込まれたナット２６に対して肘掛け１３がボルト２７によって着脱可能に固定されている。
【００３６】
なお、この凹部２５内には、後述する張材１２の側部開口を連結する連結板３２が設けられている。また、肘掛け１３には、その内部にボルト２７を取り付けるための貫通孔１３ａが形成されており、この貫通孔１３ａの外側の開口部には、これを閉塞するカバープレート１３ｂが取り付けられている。貫通孔１３ａの外側の開口部は、肘掛け１３が取り付けられる凹部２５と同じ開口形状に形成されているのが好ましい。このように構成とした場合、凹部２５に肘掛け１３を取り付けないときに、凹部２５にカバープレート１３ｂを取り付けることでその開口を閉塞することができる。
【００３７】
張材１２は、図７に示すように椅子１の正面側（荷重受面側）に配置される略矩形状の表側張材２８と、椅子１の背面側（荷重受面の反対側）に配置される略矩形状の裏側張材２９とが袋状に形成されたもので、例えばアクリルやウール（これらの混合材を含む）、ポリエステル等によって形成されており、図１、図２に示したように一対の杆材９、９に被せられている。この張材１２は、図３に示すように表側張材２８と裏側張材２９とが、杆材９の長さ方向における上端縁（一端縁）および幅方向の両方の側端縁にて縫合され、接合されており、これによって長さ方向における下端縁側（他端縁側）に、幅方向に連続する開口部３０を形成している。
【００３８】
ただし、この張材１２は、図７に示すように表側張材２８と裏側張材２９との両方の側端縁における接合部位３１の、下端縁側の端部３１ａが、側端縁の下端縁よりも側端縁の上端縁寄りに位置させられている。これによって開口部３０は、張材１２の両方の側端縁の下端縁側に開口する側部開口３０ａを有して形成されている。
【００３９】
側部開口３０ａには、図３、図７に示すように、該側部開口３０ａを形成する表側張材２８の下端縁側と裏側張材２９の下端縁側とを連結する連結板３２が設けられている。連結板３２は、張材１２の上端縁側が凸となり、下端縁側が凹となるように長さ方向の中央部でヘ字状に弾性変形させられて、屈曲させられた樹脂等からなる細板であって、図７に示す屈曲部３２ａを挟んだ一方の側が表側張材２８の下端縁側に連結し、他方の側が裏側張材２９の下端縁側に連結している。
【００４０】
連結板３２は、その長さ方向の中央部に屈曲部３２ａが形成されていることにより、屈曲部３２ａを挟んだ一方の側の長さと他方の長さとが略同一に形成されている。これにより、連結板３２は一方の側の長さが、表側張材２８の側部開口３０ａを形成する部分の長さと略同一とされ、他方の側の長さが、裏側張材２９の側部開口３０ａを形成する部分の長さと略同一とされている。すなわち、連結板３２はその一方の側の長さが、表側張材２８の、前記接合部位３１の下端縁側の端部３１ａから下端縁までの長さと略同一に形成され、他方の側の長さが、裏側張材２９の、前記接合部位３１の下端縁側の端部３１ａから下端縁までの長さと略同一に形成されている。
【００４１】
表側張材２８や裏側張材２９と連結板３２との連結は、例えば縫合によってなされている。ここで、表側張材２８や裏側張材２９への連結板３２の連結は、例えば以下の手順でなされる。まず、表側張材２８と裏側張材２９とのうちの一方をめくってその裏面側を表に出す。続いて、裏面側を表にした張材の上に連結板３２の一方の側を置き、張材が下、連結板３２が上という状態、すなわち連結板３２を視認できる状態で、連結板３２を張材に対して縫合する。このとき、連結板３２の他方の側（他方の張材に縫合する側）の端部は浮いた状態になっている。次いで、張材を反転させ、以下、前記した一方の張材のときと同様にして、他方の張材の裏面側に連結板３２の他方の側を縫合する。その後、連結板３２に縫合した表側張材２８、裏側張材２９の側部開口３０ａを形成する部分を、図６に示すように連結板３２とともに外側から内側に向けて折り込み、凹部２５内に入れる。これにより、連結板３２を凹部２５の内面に当接させて配置することができる。すなわち、弾性変形により屈曲させた連結板３２を復元させることにより、連結板３２を拡げてその両側を凹部２５の内面に当接させる。なお、連結板３２については弾性変形させることなく屈曲形状に成形してもよい。その場合には、連結板３２を凹部２５に入れた際に、この凹部２５の内面に連結板３２を当接することなく、近接した状態で連結板３２を配置していてもよい。
【００４２】
また、図３に示すように張材１２の開口部３０には、表側張材２８の下端部後面に前側背張り芯材３３が取り付けられ、裏側張材２９の下端部前面に後側背張り芯材３４が取り付けられている。これら前側背張り芯材３３、後側背張り芯材３４は、樹脂等によって形成された細板状のもので、表側張材２８あるいは裏側張材２９に縫合等によって取り付けられている。前側背張り芯材３３には、その内面（後面）に複数の係合部（図示せず）が形成されている。これら係合部が下枠１４の下部支持部１７に形成された係合部（図示せず）に係合させられることにより、前側背張り芯材３３は下部支持部１７に取り付けられ、支持されている。また、後側背張り芯材３４には、その内面（前面）に複数の係合部（図示せず）が形成されている。これら係合部が下枠１４の下部支持部１７に形成された係合部（図示せず）に係合させられることにより、後側背張り芯材３４も下部支持部１７に取り付けられ、支持されている。このように前側背張り芯材３３、後側背張り芯材３４が下部支持部１７に取り付けられることにより、袋状の張材１２はその開口部３０が下枠部１４によって閉じられ、したがって該開口部３０が露出しないようになっている。
【００４３】
また、張材１２には、その上端縁側（一端縁側）の端縁部（上端縁部）に、椅子１の幅方向における外側端よりやや内側に表側張材２８と裏側張材２９とが接合されてなる余長部３５が形成されている。そして、図４（ｂ）のＣ−Ｃ線矢視断面図である図８に示すように、該余長部３５の前記幅方向における内側には、杆材９を露出させる露出口３６が形成されている。
【００４４】
杆材９には、露出口３６側の端部、すなわち上端部に、該露出口３６に連通する開口を有する嵌合穴９ａと、杆材９の長さ方向に突出して前記余長部３５に当接する突縁部９ｂとが形成されている。突縁部９ｂは、本実施形態では嵌合穴９ａを囲む外周部にその周方向全周に亘って連続して環状に形成されている。したがって、この突縁部９ｂは、張材１２の余長部３５だけでなく、露出口３６の外周部全周に当接している。
【００４５】
そして、このように露出口３６に露出するとともに該露出口３６に連通する杆材９の嵌合穴９ａに対して、連結フレーム１５が取り付けられている。連結フレーム１５は、露出口３６を通って嵌合穴９ａに嵌合し、露出口３６を閉塞する閉塞部３７と、図３に示すように一対の閉塞部３７、３７間を連結する連結部３８とを備えたもので、一対の閉塞部３７、３７がそれぞれ対応する杆材９に取り付けられたことにより、一対の杆材９、９間を連結している。
【００４６】
閉塞部３７は、図８に示すように露出口３６を通って嵌合穴９ａに嵌合する嵌合突起３７ａと、嵌合突起３７ａの根本側（上端側）に位置して嵌合突起３７ａの外方に拡がる覆い部３７ｂとからなっている。覆い部３７ｂは、嵌合突起３７ａが嵌合穴９ａに嵌合した状態で、張材１２の余長部３５を含む露出口３６の外周部を介して、杆材９の突縁部９ｂに突き当たっている。嵌合突起３７ａは、内部に孔部を有した筒状のもので、後述するように孔部にナットが収容されるようになっている。
【００４７】
このような閉塞部３７の杆材９（嵌合穴９ａ）への固定は、図４（ｂ）のＤ−Ｄ線矢視断面図である図９に示すように、杆材９の後側（背面側）から挿通されたビス３９によってなされている。すなわち、杆材９の後側（背面側）に形成されたビス孔（図示せず）を通ってビス３９が嵌合穴９ａ内に挿通される。そして、ビス３９はさらに嵌合穴９ａ内に嵌合した嵌合突起３７ａ内に挿通され、その孔部に収容されたナット４０に螺着される。これにより、嵌合突起３７ａが杆材９の嵌合穴９ａ内にビス止めされ、固定される。
【００４８】
なお、このようなビス止めを含む、連結フレーム１５および張材１２の一対の杆材９、９への取り付けは、以下のようにして行う。
まず、袋状の張材１２に対して図３に示すようにその側部開口３０ａにそれぞれ連結板３２を取り付けておくとともに、表側張材２８に前面背張り芯材３３を、裏側張材２９に後面背張り芯材３４をそれぞれ取り付けておく。ただし、前面背張り芯材３３や後面背張り芯材３４の取付は後で行ってもよい。
【００４９】
次に、この張材１２の上端縁の露出口３６、３６に、その上方からそれぞれ連結フレーム１５の閉塞部３７の嵌合突起３７ａを挿通し、嵌合突起３７ａを露出口３６、３６から張材１２内に突き出させる。続いて、このように嵌合突起３７ａを露出口３６、３６から突き出させた状態で、張材１２を裏返す。すなわち、嵌合突起３７ａを下側にして裏返した張材１２を上方に引っ張り上げ、この裏返した張材１２内に連結フレーム１５の連結部３８を収容するとともに、嵌合突起３７ａを下端側に突き出させた状態で露出させる。
【００５０】
次いで、下端側に突き出た一対の嵌合突起３７ａをそれぞれ対応する杆材９の嵌合穴９ａに嵌合し、続いて図９に示したように嵌合突起３７ａを杆材９にビス止めする。なお、嵌合突起３７ａを杆材９の嵌合穴９ａに嵌合するに先だって、枠部材１０に対して面材１１を取り付けておく。嵌合突起３７ａを杆材９の嵌合穴９ａに嵌合した際、図８に示すように嵌合突起３７ａが張材１２の露出口３６を通って杆材の嵌合穴９ａに嵌合し、覆い部３７ｂが露出口３６の外周部全周に当接することで余長部３５等を介して杆材９の突縁部９ｂに突き当たるので、杆材９の突縁部９ｂに対して張材１２の余長部３５等が位置合わせされる。これにより、張材１２を大きく引き伸ばした場合でも、露出口３６と杆材９との間の位置ずれが抑制される。
【００５１】
このようにして嵌合突起３７ａをビス止めし、連結フレーム１５を一対の杆材９、９に取り付け、固定したら、裏返していた張材１２を元に戻して一対の杆材９、９に被せる。その際、張材２の開口部３０が側部開口３０ａを有しているので、袋状の張材１２の開口を大きく拡げることができ、したがって張材１２を枠部材１０に容易に被せることができる。このようにして裏返していた張材１２を元に戻すことにより、袋状の張材１２は、その開口部３０を通して杆材９、９（枠部材１０）にその長さ方向における一端側（上端側）から被せられた状態となる。したがって、嵌合突起３７ａを固定したビス３９は露出することなく張材１２に隠される。
【００５２】
このようにして張材１２を枠部材１０に被せたら、張材１２の側部開口３０ａに取り付けられた連結板３２を図６に示したように枠部材１０の凹部２５内に押し込む。これにより、連結板３２に連結された表側張材２８、裏側張材２９のそれぞれの側部開口３０ａを形成する部位も、凹部２５内に収容される。したがって、この凹部２５に肘掛け１３が取り付けられることにより、張材１２の側部開口３０ａや連結板３２が露出することなく隠される。
【００５３】
また、張材１２の開口部３０に取り付けた前側背張り芯材３３および後側背張り芯材３４も、下部支持部１７に取り付ける。これにより、張材１２は枠部材１０に固定される。このようにして固定された張材１２は、本実施形態では着座者の背中によって加えられる荷重（体重）、すなわち面直方向の荷重に対しての反発力が、面材１１の同じ反発力より相対的に小となっている。すなわち、本実施形態では、強度部材としての枠部材１０に取り付けられた面材１１が、着座者の背中によって加えられる荷重（体重）に対して反発する反発体（弾性抵抗体）となっている。これにより、張材１２を構成する表側張材２８および裏側張材２９の素材やデザインなどについては、反発力についての制限がないことから、求められる性状等に基づいて自由に選択される。すなわち、デザイン面等において高い自由度を有する。
【００５４】
このような構成からなる背凭れ６（椅子用荷重支持部材）は、図３に示す下枠部１４の取付部４１が、図１、図２に示す支基３に取り付けられることにより、椅子１に組み立てられている。また、このようにして背凭れ６が支基３に取り付けられたことにより、張材１２の開口部３０に取り付けた前側背張り芯材３３や後側背張り芯材３４は露出することなく張材１２内に納められる。
【００５５】
本実施形態の椅子用荷重支持部材（背凭れ６）にあっては、枠部材１０に被せられた張材１２とは別に、杆材９、９間に面直方向の荷重に対して反発力を有する面材１１を架設しているので、例えば面材１１の強度を、着座者の荷重を支持しうる大きさに設定することにより、張材１２の素材等を適宜選択することが可能になる。したがって、デザイン面での自由度を大幅に向上することができ。また、張材１２はそれ自体の形状および張力で杆材９に巻きつくようにして枠部材１０に支持されるので、専用の支持部を必要とせず、したがって杆材９の形状を複雑化することなく安価に枠部材１０を成形することができる。加えて、杆材９の内側面に形成された側部支持部１６が張材１２で隠されることにより、側部支持部１６によって外観体裁が損なわれることを防止することができる。
【００５６】
また、側部支持部１６が、各杆材９の内側面に形成された嵌合凹部１９であるので、このような嵌合凹部１９を有する杆材９の形状を作る際に、２つの金型を荷重受面の面直方向に並べて成型することによって容易に成形することができる。したがって、枠部材１０をより安価に成形することができる。
【００５７】
また、支持材１８の荷重受面側の端部が、杆材９における嵌合凹部１９を形成する部位の荷重受面側の端部よりも、荷重受面側と反対の側寄りに位置しているので、面材１１の位置が杆材９の荷重受面側の端部よりも椅子１の背面側に後退する（オフセットされる）。したがって、面材１１が張材１２の表側張材２８に裏から当接することで張材１２の変形を防止するため、より外観体裁に優れるものとなる。
【００５８】
また、袋状の張材１２が面材１１よりも反発力が小であることから、張材１２は面材１１よりも相対的に柔らかく（弾性抵抗力を小さく）なり、したがって着座者の体重等により張材１２に荷重がかかっても、張材１２と杆材９との間で摩擦抵抗が生じにくくなる。また、張材１２は柔らかいため杆材９に密着することなく接するようになり、したがって面直方向からの荷重に対しても杆材９に対して回転しないため、摩擦音の発生が防止、あるいは抑制される。また、相対的に硬い面材１１によって着座者の身体を支持する力が確保されるものの、この面材１１は杆材９の対向面間に架設されているので、袋状の張材１２と干渉することがない。
【００５９】
本実施形態の椅子１にあっては、デザイン面での自由度が高い背凭れ６を備えるので、椅子１自体のデザイン面での自由度も大幅に向上する。また、杆材９の形状を複雑化することなく安価に枠部材１０を成形することができるため、椅子１自体のコストの低減化を図ることができる。
【００６０】
次に、本発明に係る椅子用荷重支持部材の他の実施形態について説明する。
図１０は、本発明に係る椅子用荷重支持部材となる背凭れ５０の要部断面図、すなわち前記実施形態における図５に対応する横断面図（図４（ａ）のＡ−Ａ線矢視断面図）である。
【００６１】
本実施形態の背凭れ５０が前記実施形態の背凭れ６と異なるところは、図１０に示すように表側張材２８と面材（内装材）１１との間にスペーサ面材５１が配設されている点である。スペーサ面材５１は、例えば不織布やエラストマーなどによって形成されたもので、着座者の背中によって加えられる荷重（体重）、すなわち面直方向の荷重に対しての反発力が、面材１１における面材本体１１ａの同じ反発力より相対的に小となるように形成されている。なお、スペーサ面材５１の反発力の、表側張材２８における同じ反発力に対しては、これより相対的に大であっても、小であっても、同等であってもよい。
【００６２】
このようなスペーサ面材５１は、図３や図７に示す表側張材２８とほぼ同形状で同寸法の矩形状に形成されたもので、その四辺、すなわち上端縁部と両側端縁部と下端縁部とが表側張材２８に縫合されて、表側張材２８に一体的に取り付けられている。すなわち、図１０に示すように表側張材２８の両側端縁部においては、スペーサ面材５１の各側端縁部が表側張材２８の各側端縁部と共に折り返されてその状態で縫合され、これによって表側張材２８に一体的に取り付けられている。
【００６３】
また、スペーサ面材５１の上端縁部及び下端縁部も、両側端縁部と同様にして表側張材２８の上端縁部や下端縁部に一体的に取り付けられている。そして、このようにスペーサ面材５１を一体的に取り付けた表側張材２８の各側端縁部および上端縁部と、同様に折り返され、縫合された裏側張材２９の各側端縁部および上端縁部とがさらに縫合され、一体化されていることにより、スペーサ面材５１を一体的に取り付けた張材１２が形成される。
【００６４】
このようにして形成されたスペーサ面材５１を有する張材１２は、前記実施形態と同様にして枠部材１０に被せられる。すなわち、図３に示した開口部３０を通して枠部材１０に該枠部材１０の上端側から被せられ、被着される。
【００６５】
本実施形態の椅子用荷重支持部材（背凭れ５０）にあっては、前記実施形態の背凭れ６と同じ作用効果に加えて、以下の作用効果を奏する。
すなわち、面材１１（面材本体１１ａ）よりも反発力が小であるスペーサ面材５１を表側張材２８と面材１１との間に配設しているので、着座者が表側張材２８を介してその体重を背凭れ５０に加えた際、背凭れ５０は表側張材２８の撓みにスペーサ面材５１の撓みを加えた状態で面材１１によって着座者の体重を支えるので、スペーサ面材５１の撓みが加わった分着座時の柔らかさが増し、着座感がより良好になる。また、スペーサ面材５１が介在することで張材１２の上縁部が面材１１の上縁部に直接的に当たりにくくなり、したがって長い間連続的に使用しても面材１１の上縁部が伸びてしまうことが抑制される。
【００６６】
また、スペーサ面材５１が面材１１の表面側から杆材９の表面側までを連続して覆っているので、スペーサ面材５１が面材１１と杆材９との間を埋めるようになるためこれらの間の段差の影響がほとんどなくなる。したがって、この段差により着座者の背中に違和感が生じるおそれがなくなる。
また、スペーサ面材５１を表側張材２８の裏面に一体的に取り付けているので、予めスペーサ面材５１を表側張材２８に一体的に取り付けておくことにより、枠部材１０に張材１２を被せて背凭れ５０を組み立てる工程を支障なく容易に行うことができる。
【００６７】
なお、本発明は前記実施形態に限定されることなく、本発明の主旨を逸脱しない範囲で種々の変更が可能である。
例えば、前記実施形態では袋状の張材１２が面材１１よりも反発力が小となるように構成したが、張材１２の反発力が面材１１の反発力と同等であってもよく、さらには面材１１の反発力より大となるようにしてもよい。
【００６８】
また、前記実施形態では、前側背張り芯材３３や後側背張り芯材３４を介して表側張材２８の下端部、裏側張材２９の下端部をそれぞれ下枠部１４に取り付けるようにしたが、表側張材２８の下端部や裏側張材２９の下端部の下枠部１４への取り付けについては、前側背張り芯材３３や後側背張り芯材３４以外の適宜な部材を用いて行ってもよい。
【００６９】
また、面材１１（内装材）としては、図３に示したように面材本体１１ａが連続した一様の面を形成することなく、例えば面材本体がスリットを有した形状となっていてもよい。具体的には、左右方向に長いスリットを、上下方向に複数（例えば２本〜５本）略等間隔で形成し、これらスリット間を帯状に形成してもよい。このようにスリットを形成することで面材（内装材）の柔軟性を高めることができる。なお、このようにスリットを形成した場合でも、面材本体は、例えばナイロンやポリプロピレン等の樹脂（エラストマー）によって形成することができる。また、面材（内装材）を構成する側部支持フレーム１１ｂや下部支持フレーム１１ｃについては、面材本体の端部を折曲することで面材本体と一体に形成してもよい。
【符号の説明】
【００７０】
１…椅子、６…背凭れ（椅子用荷重支持部材）、９…杆材、１０…枠部材、１１…面材（内装材）、１２…張材（外装材）、１６…側部支持部（支持部）、１８…支持材、１９…嵌合凹部、２８…表側張材、２９…裏側張材、５０…背凭れ（椅子用荷重支持部材）、５１…スペーサ面材
【図１】
0006552083.tif 000002
【図２】
0006552083.tif 000003
【図３】
0006552083.tif 000004
【図４】
0006552083.tif 000005
【図５】
0006552083.tif 000006
【図６】
0006552083.tif 000007
【図７】
0006552083.tif 000008
【図８】
0006552083.tif 000009
【図９】
0006552083.tif 000010
【図１０】
0006552083.tif 000011